(57)【特許請求の範囲】
【請求項１】
目を覆うマスク本体と、
前記マスク本体を着用者の目を覆うように該着用者の顔に着用するための着用部と、
を備え、
前記マスク本体は、目を覆う形状に構成され、表裏方向で対向配置される表地及び裏地と、前記マスク本体の縁部を形成するフレーム部と、備え、
前記フレーム部は、前記表地の縁部と、前記裏地の縁部と、前記表地の縁部及び前記裏地の縁部の間に介装される中間部と、を備え、
前記中間部は、クッション材で形成されるとともに、目の周囲を覆う枠型に形成されている、アイマスク。
【請求項２】
前記中間部は、前記表地の縁部が前記裏地側へ折り返された表折返し部と、前記裏地の縁部が前記表地側へ折り返された裏折返し部とが、重ね合わされて縫合されることにより構成されている、請求項１に記載のアイマスク。
【発明の詳細な説明】
【技術分野】
【０００１】
本発明は、睡眠時等に用いるアイマスクに関する。
【背景技術】
【０００２】
従来、横長形状のタオル生地で形成されたアイマスクが公知である（特許文献１参照）。このアイマスクは、タオル生地の左右両側が折り返された耳カバー部と、一対の耳カバー部の間で両目を覆う目隠し部と、左右一対の耳掛けゴム紐と、を備える。また、このアイマスクは、耳掛けゴム紐を耳に掛けて装着すると、目隠し部で目を覆うと共に、耳カバー部で耳を覆うことができる。
【先行技術文献】
【特許文献】
【０００３】
【特許文献１】登録実用新案第３１８６０３０号公報
【発明の概要】
【発明が解決しようとする課題】
【０００４】
ところで、このアイマスクは、耳掛けゴム紐を耳に掛けて装着するものであるところ、装着状態では、耳掛けゴム紐の引っ張り力により、目隠し部が左右に引っ張られる。そうすると、目隠し部の目に対応する部分（目に重なる部分）が左右に突っ張り、目を圧迫してしまう。しかし、目の圧迫感を抑えるために、目隠し部の目に対応する部分を目に当たらないようにすると、アイマスクの肌触りの良さが得られない。
【０００５】
そこで、本発明は、目を過度に圧迫することなく、しかも、心地よい肌触りを得ることができるアイマスクを提供することを目的とする。
【課題を解決するための手段】
【０００６】
本発明のアイマスクは、目を覆うマスク本体と、前記マスク本体を着用者の目を覆うように該着用者の顔に着用するための着用部と、を備え、前記マスク本体は、目を覆う形状に構成され、表裏方向で対向配置される表地及び裏地と、前記マスク本体の縁部を形成するフレーム部と、備え、前記フレーム部は、前記表地の縁部と、前記裏地の縁部と、前記表地の縁部及び前記裏地の縁部の間に介装される中間部と、を備える。
【０００７】
かかる構成によれば、着用部を介してマスク本体で目を覆うようにして着用すると、着用部でマスク本体が左右に引っ張られたとしても、フレーム部の剛性によりマスク本体を保形しやすい。また、着用状態では、表地はフレーム部の厚みの分だけ顔から離れているため、前記引っ張りが作用しても、マスク本体は目を圧迫しにくい。さらに、裏地は顔に触れるが、フレーム部の保形により目を圧迫せず、適度な接触となり、心地よい肌触りが得られる。
【０００８】
また、前記アイマスクでは、前記中間部は、クッション材で形成されるとともに、目の周囲を覆う枠型に形成されていてもよい。
【０００９】
かかる構成によれば、適度なクッション性を有しつつ、枠型形状によりアイマスクを保形することができる。
【００１０】
また、前記アイマスクでは、前記中間部は、前記表地の縁部が前記裏地側へ折り返された表折返し部と、前記裏地の縁部が前記表地側へ折り返された裏折返し部とが、重ね合わされて縫合されることにより構成されていてもよい。
【００１１】
かかる構成によれば、フレーム部の厚みを確保でき、しかも、表折返し部や裏折返し部における折り返しの遊びによって着用部の引っ張りを緩和でき、目への圧迫を抑制できる。
【発明の効果】
【００１２】
以上より、本発明によれば、目を過度に圧迫することなく、しかも、心地よい肌触りを得ることができるアイマスクを提供することができる。
【図面の簡単な説明】
【００１３】
【図１】図１は、本実施形態に係るアイマスクの正面図である。
【図２】図２は、前記アイマスクの背面図である。
【図３】図３は、図１のＩＩＩ−ＩＩＩ位置における断面図である。
【図４】図４は、変形例に係るアイマスクの正面図である。
【図５】図５は、変形例に係るアイマスクの正面図である。
【図６】図６は、図５のＶＩ−ＶＩ位置における断面図である。
【図７】図７は、変形例に係るアイマスクの正面図である。
【図８】図８は、図７のＶＩＩＩ−ＶＩＩＩ位置における断面図である。
【発明を実施するための形態】
【００１４】
以下、本発明の実施形態について、図１〜図３を参照しつつ説明する。アイマスクは、例えば、睡眠時等に用いられるアイマスクである。
【００１５】
図１及び図２に示すように、アイマスク１は、目を覆うマスク本体２と、マスク本体２を着用者の目を覆うように着用者の顔に着用するための着用部３と、を備える。本実施形態のアイマスク１は、マスク本体２の左右の両端部と着用部３との間にそれぞれ設けられる一対の接続部４と、鼻元を覆う鼻元被覆部５と、を備える。
【００１６】
以下、アイマスク１の裏側は着用時に顔と対向する側であり、アイマスク１の表側は裏側の反対側とする。即ち、アイマスク１の表裏方向は、図１及び図２における紙面に垂直な方向である。また、アイマスク１の上側及び下側は、アイマスク１の着用者の頭側及び足側とする。即ち、アイマスク１の上側や下側は、図１及び図２における上側や下側である。
【００１７】
マスク本体２は、目を覆う形状に構成された部材である。本実施形態のマスク本体２は、左右の目及び左右の目の間を覆うとともに、左右の耳を露出する形状に構成されている。また、マスク本体２は、マスク本体２の外周部である縁部２０と、左右の目を覆う部位である一対の第一被覆部位２１と、左右の目の間を覆う部位である第二被覆部位２２と、を含む。
【００１８】
マスク本体２の形状は、例えば、略矩形のシート状である。本実施形態のマスク本体２の形状は、マスク本体２の短手方向（図１及び図２における上下方向）における第一被覆部位２１の寸法が、この短手方向における第二被覆部位２２の寸法よりも大きい略矩形のシート状である。具体的に、マスク本体２の長手方向における寸法（図１及び図２における左右方向における寸法）は、２０５ｍｍである。
【００１９】
また、マスク本体２の短手方向における第一被覆部位２１の寸法は、１０５ｍｍであり、マスク本体２の短手方向における第二被覆部位２２の寸法は、１０５ｍｍである。このように、マスク本体２の短手方向において、第一被覆部位２１の寸法が第二被覆部位２２の寸法よりも大きいため、着用時に、第一被覆部位２１は左右の目をしっかりと覆うことができ、これにより、左右の目に外部からの光が入りにくい。
【００２０】
本実施形態のマスク本体２の縁部２０の厚み（表裏方向における寸法）は、縁部２０以外の領域の厚みよりも大きい。
【００２１】
マスク本体２の上端縁２３は、上下方向に直交する水平方向（図１及び図２における左右方向）に対して略平行である。マスク本体２の下端縁２４は、この水平方向に対して傾斜している。本実施形態のマスク本体２の下端縁２４は、第一被覆部位２１の下端縁である第一下端縁２４１と、第二被覆部位２２の下端縁である第二下端縁２４２と、を有する。第一下端縁２４１は、下向きに凸となるように湾曲した状態で延びている。第二下端縁２４２は、上向きに凸となるように湾曲した状態で延びている。
【００２２】
マスク本体２は、表裏方向で対向配置される表地６及び裏地７と、マスク本体２の縁部２０を形成するフレーム部１０と、を備える。本実施形態のマスク本体２は、表地６及び裏地７を一つずつ備える。また、マスク本体２は、マスク本体２の強度を確保する補強部９も備える。
【００２３】
表地６は、アイマスク１の着用時に、顔と反対側に位置する部位、即ち、外部に露出する部位である（図１参照）。本実施形態の表地６は、表地６の縁部である表地縁部６０と、表地縁部６０に囲まれる表地本体部６１と、を有する。また、表地６は、裏地７の表側の全域に重ねられている。
【００２４】
さらに、表地６は、図３に示すように、表地縁部６０が裏地７側に折り返された表折返し部６００を有する。これにより、表地６では、表折返し部６００が、表地折り目６αにおいて表地縁部６０に接続される。また、表地６は、表裏方向において、外側に配置された表生地６２と、表生地６２の内側に配置された表クッション材６３と、を含む。
【００２５】
裏地７は、アイマスク１の着用時に、顔と対向する部位である（図２参照）。本実施形態の裏地７は、表地６により裏側に隠れる部位である。また、裏地７は、着用時に顔の形状に沿って変形可能なように柔軟性を有する。即ち、裏地７の柔軟性は、表地６の柔軟性よりも大きい。また、本実施形態の裏地７は、裏地７の縁部である裏地縁部７０と、裏地縁部７０に囲まれる裏地本体部７１と、を有する。
【００２６】
さらに、裏地７は、裏地縁部７０が表地６側に折り返された裏折返し部７００を有する（図３参照）。これにより、裏地７では、裏折返し部７００が、裏地折り目７αにおいて裏地縁部７０に接続される。また、裏地７は、表裏方向において、外側に配置された裏生地７２と、裏生地７２の内側に配置された裏クッション材７３と、を含む。
【００２７】
表生地６２や裏生地７２は、例えば、綿、麻、絹等の天然繊維やポリエステル等の合繊繊維により構成された生地である。
【００２８】
本実施形態の表生地６２は、天然繊維と合成繊維との混紡生地であり、例えば、綿とポリエステルとの混紡生地である。
【００２９】
本実施形態の裏生地７２は、炭を含む天然繊維で構成された生地であり、例えば、炭を含む繊維で構成された生地（例えば、ＳＵＭＩＳＥＮ（登録商標）により構成された生地）である。裏生地７２が、遠赤外線を放出する炭を含むことにより、アイマスク１における保温性を向上できる。また、裏生地７２が、消臭効果を有する炭を含むことにより、アイマスク１へのにおいの吸着を防ぐことができる。
【００３０】
なお、表生地６２の伸縮率と裏生地７２の伸縮率は、同じであってもよいし、異なっていてもよい。例えば、表生地６２の伸縮率が裏生地７２の伸縮率よりも大きい場合、アイマスク１の着用時にマスク本体２が左右に引っ張られても、表生地６２が伸びることにより、目元への圧迫感を緩和できる。
【００３１】
表クッション材６３は、少なくとも表地縁部６０に配置されている。本実施形態の表クッション材６３は、表地縁部６０に加えて、表地本体部６１の全域に配置されている。表クッション材６３は、例えば、樹脂の発泡体で形成され、保温性に優れている。本実施形態の表クッション材６３は、発泡樹脂製のシートである。
【００３２】
また、表クッション材６３の厚みは、表生地６２の厚みよりも大きい。さらに、表クッション材６３の厚みは、裏クッション材７３の厚みよりも大きい。そのため、アイマスク１の表側（アイマスク１の表地６側）を確実に保形することができる。
【００３３】
裏クッション材７３は、少なくとも裏地縁部７０に配置されている。また、裏クッション材７３の厚みは、裏生地７２の厚みよりも大きい。本実施形態の裏クッション材７３は、裏地縁部７０に加えて、裏地本体部７１の全域に配置されている。裏クッション材７３は、例えば、発泡樹脂シート以外の樹脂シートであり、保温性に優れている。
【００３４】
また、裏クッション材７３は、表クッション材６３よりも柔らかい。このように、アイマスク１では、柔らかい裏クッション材７３を含む裏地７が着用者の目と対向する側に配置されているため、柔らかな肌触りを確保しつつ、裏クッション材７３よりも固く保形面で優れた表クッション材６３を含む表地６により、アイマスク１を保形してアイマスク１の外観をハリのある良好な外観に保つことができる。
【００３５】
なお、本実施形態のマスク本体２では、マスク本体２の縁部２０以外の領域において、表地６と裏地７とは接続されていない。具体的に、マスク本体２の縁部２０以外の領域にでは、表裏方向において、表クッション材６３と裏クッション材７３は離間している。
【００３６】
表折返し部６００や裏折返し部７００は、表地縁部６０や裏地縁部７０が一回、或いは、複数回折り返されることにより形成されている。本実施形態の表折返し部６００及び裏折返し部７００は、表地縁部６０や裏地縁部７０が一回折り返されることにより形成されている。本実施形態の表折返し部６００及び裏折返し部７００は、表地縁部６０の全域及び裏地縁部７０の全域にわたって形成されている。
【００３７】
フレーム部１０は、表地６の縁部である表地縁部６０と、裏地７の縁部である裏地縁部７０と、表地縁部６０と裏地縁部７０との間に介装される中間部８と、を備える。本実施形態のフレーム部１０では、表地縁部６０と裏地縁部７０と中間部８とが、縫合により接続されている。
【００３８】
本実施形態のフレーム部１０における縫い代の幅Ｌ（例えば、この縫い代の延びる方向と直交する方向における寸法Ｌ）は、縫い代の延びる方向において均一であっても不均一であってもよく、例えば、縫い代の延びる方向において７ｍｍ以上１２ｍｍ以下の範囲内で不均一であってもよい。
【００３９】
フレーム部１０は、例えば、目の周囲を覆う枠型に形成されている（図１参照）。また、フレーム部１０は、アイマスク１の着用時において、左右の目の眼窩の外側に配置される。そのため、アイマスク１の着用時において、フレーム部１０が眼窩よりも内側（例えば、瞼や眼球）を圧迫することを防ぐことができる。
【００４０】
本実施形態のフレーム部１０は、フレーム上部１０１と、フレーム上部１０１の左右両端にそれぞれ配置される一対のフレーム側部１０２と、一対のフレーム側部１０２の間に延びるフレーム下部１０３と、を含む。
【００４１】
フレーム上部１０１は、眉骨、或いは、前頭骨を覆う部位である。また、フレーム上部１０１は、水平方向に略平行に延びている。
【００４２】
フレーム側部１０２は、頬骨の側部を覆う部位である。また、フレーム側部１０２は、上下方向に沿って延びている。
【００４３】
フレーム下部１０３は、頬骨の下部を覆う部位である。また、フレーム下部１０３は、この水平方向に対して傾斜して延びている。本実施形態のフレーム下部１０３は、左右両端に配置され且つ下向きに凸となるように湾曲した状態で延びる一対の第一フレーム下部１０３Ａと、一対の第一フレーム下部１０３Ａの間に配置され且つ上向きに凸となるように湾曲した状態で延びる第二フレーム下部１０３Ｂと、を含む。本実施形態のフレーム下部１０３では、第二フレーム下部１０３Ｂが上方に湾曲した形状、即ち、鼻を避ける形状となっている。
【００４４】
中間部８は、目の周囲を覆う枠型に形成された部材である。例えば、中間部８は、左右の目をまとめて覆う枠状に連続して形成されている。中間部８は、クッション材で形成されている。
【００４５】
本実施形態の中間部８は、表折返し部６００と裏折返し部７００とが、重ね合わされて縫合されることにより構成されている。
【００４６】
なお、本実施形態のフレーム部１０における縫い代の幅Ｌは、表折返し部６００の幅（表折返し部６００の延伸方向と直交する方向における寸法）に、裏折返し部７００の幅（裏折返し部７００の延伸方向と直交する方向における寸法）を足し合わせた寸法である（図３参照）。
【００４７】
補強部９は、マスク本体２の最外周に配置されている（図１参照）。本実施形態の補強部９は、マスク本体２の周方向における全域に配置されている。例えば、補強部９は、クッション材で構成され、具体的に、複数本のワイヤーや撚糸により構成されている。本実施形態の補強部９は、表折返し部６００及び裏折返し部７００の間に介装され、表折返し部６００及び裏折返し部７００とともに縫合されている。なお、補強部９は、表地縁部６０や裏地縁部７０に接着剤により接着されてもよい。
【００４８】
接続部４は、着用時に耳元を覆う部位である。また、接続部４は、表裏方向で対向配置される二枚の生地（表地及び裏地）により構成されている。接続部４の厚みは、マスク本体２の厚みよりも薄い。接続部４の形状は、マスク本体２に近い部位ほど上下方向における寸法が大きいような略台形状である。具体的に、接続部４は、水平方向に延びる上端縁４０と、マスク本体２に近づくほど下方に位置する傾斜面である下端縁４１と、を含む。
【００４９】
また、接続部４は、一対設けられ、マスク本体２の左右両端部にそれぞれ接続されている。本実施形態の接続部４は、マスク本体２の左右両端部の上下方向における中央位置よりも上方に接続されている。例えば、接続部４は、マスク本体２の左右両端部に、縫合により接続されている。
【００５０】
さらに、接続部４の少なくとも縁部では、表地を裏側に折り返した折返し部と裏地を表側に折り返した折返し部とが縫合されている。
【００５１】
鼻元被覆部５は、着用時に鼻元を覆う部位である。また、鼻元被覆部５は、表裏方向で対向配置される二枚の生地（表地及び裏地）により構成されている。鼻元被覆部５の厚みは、マスク本体２の厚みよりも薄い。鼻元被覆部５は、マスク本体２よりも薄いことから変形しやすいため、アイマスク１の着用時において、着用者の鼻元とマスク本体２との間の隙間を覆うことができ、これにより、鼻元から目元への光の侵入を抑えることができる。
【００５２】
本実施形態の鼻元被覆部５は、マスク本体２の第二フレーム下部１０３Ｂの外側に設けられている。具体的に、鼻元被覆部５は、マスク本体２の下端縁２４のうち第二下端縁２４２に接続されている。
【００５３】
鼻元被覆部５の縁部では、表地を裏側に折り返した折返し部と裏地を表側に折り返した折返し部とが縫合されている。
【００５４】
着用部３は、マスク本体２を着用者の顔に保持するための保持部材である。本実施形態の着用部３は、左右の接続部４の表地及び裏地の間に介装された接続端部を有する。着用部３の接続端部は、接続部４の表地及び裏地に縫合により接続されている。
【００５５】
また、着用部３は、マスク本体２の上下方向における中心軸（例えば、マスク本体２の上端縁２３と下端縁２４（具体的には、下端縁２４における最下点）との間の上下方向における中心を通る中心軸）に対して、上下方向においてずれた位置、例えば、上方にずれた位置に配置されている。
【００５６】
さらに、着用部３は、水平方向に延びる上端縁４０と、マスク本体２に近づくほど下方に位置する傾斜面である下端縁４１と、を含む接続部４を介してマスク本体２に接続されているため、アイマスク１の着用時に、マスク本体２から遠ざかる部位ほど上方に位置するように配置される。
【００５７】
具体的に、着用部３は、マスク本体２等とともに着用者の頭部を囲んだ状態で保持するベルトである。また、ベルトは、ナイロン製のベルトである。また、このベルトには、例えば、長手方向における長さを変更可能なバックルや面ファスナー等のアジャスターが設けられている。
【００５８】
以上のアイマスク１では、着用部３を介してマスク本体２で目を覆うようにして着用すると、着用部３でマスク本体２が左右に引っ張られたとしても、フレーム部１０の剛性によりマスク本体２を保形しやすい。また、着用状態では、表地６はフレーム部１０の厚みの分だけ顔から離れているため、前記引っ張りが作用しても、マスク本体２は目を圧迫しにくい。さらに、着用状態では、裏地７は顔に触れるが、フレーム部１０の保形により目を圧迫せず、裏地７の目に対する接触は適度な接触となり、心地よい肌触りが得られる。従って、アイマスク１では、着用状態において、目を過度に圧迫することなく、しかも、心地よい肌触りを得ることができる。
【００５９】
本実施形態のアイマスク１では、中間部８が、表クッション材６３や裏クッション材７３を含み、且つ、目の周囲を覆う枠型に形成されているため、適度なクッション性を有しつつ、アイマスク１を保形する（マスク本体２の形状を、目を圧迫しない形状に維持する）ことができる。
【００６０】
また、本実施形態のアイマスク１では、中間部８が、表折返し部６００と裏折返し部７００とが、重ね合わされて縫合されることにより構成されているため、フレーム部１０の厚みを確保でき、しかも、表折返し部６００や裏折返し部７００の遊びのため、この遊びにより着用部３の引っ張りを緩和でき、目への圧迫を抑制できる。表折返し部６００や裏折返し部７００の遊びとは、表折返し部６００や裏折返し部７００により表地６や裏地７が折れ曲がっていることにより、アイマスク１の着用時にマスク本体２が引っ張られたとしても、引っ張られた方向に追随するような余裕（余長）がある。また、中間部８は、表折返し部６００と裏折返し部７００とが、縫合されることにより構成されているため、アイマスク１におけるフレーム部１０とその他の部位との一体感を向上できる。
【００６１】
本実施形態のアイマスク１では、マスク本体２の縁部２０以外の領域において、表地６と裏地７との間（例えば、表クッション材６３と裏クッション材７３との間）に空間が設けられている。そのため、着用時においてマスク本体２の顔の立体形状にあわせた変形が妨げられにくい、即ち、着用時におけるマスク本体２の突っ張りを緩和できる。
【００６２】
また、本実施形態のアイマスク１では、マスク本体２の左右両端部の上下方向における中央よりも上方に接続された接続部４を介して、マスク本体２から着用部３が延びている、即ち、マスク本体２の上下方向における中央よりも上側に着用部３が接続されている。そのため、アイマスク１の着用時に、着用部３が、耳の上側を通ることになるため、耳が痛くなりにくい。
【００６３】
さらに、本実施形態のアイマスク１では、耳元を覆い且つ生地で形成される接続部４が、マスク本体２の左右両端部とベルトである着用部３との間に設けられていることにより、アイマスク１の着用時における耳元への圧迫感を緩和できる。
【００６４】
また、本実施形態のアイマスク１では、マスク本体２の全域に表クッション材６３や裏クッション材７３といったクッション材が設けられているため、着用時に体温を逃しにくく、アイマスク１に保温性を担保できる。これにより、アイマスク１の着用時に温感が得られる。
【００６５】
なお、本発明のアイマスクは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６６】
上記実施形態のアイマスク１では、マスク本体２が、左右の目及び左右の目の間を覆うとともに左右の耳を露出する形状であったが、マスク本体２の形状は左右の目を覆う形状であれば異なる形状であってもよい。
【００６７】
例えば、アイマスク１は、図４に示すように、左右の目、左右の目の間、及び、左右の耳の全域を覆う形状のマスク本体２を備えることが考えられる。即ち、アイマスク１は、縁部２０と、一対の第一被覆部位２１と、第二被覆部位２２と、に加えて、左右の耳を覆う一対の第三被覆部位２５を備えることが考えられる。具体的に、マスク本体２の長手方向における寸法（図４の上下方向における寸法）は、４２０ｍｍである。このアイマスク１では、着用時に、マスク本体２により左右の目に加えて耳も覆われることで、より心地よさが得られる。
【００６８】
また、この場合、接続部４の上端縁４０は、マスク本体２に近づくほど上方に位置するよう傾斜していてもよい。即ち、接続部４の形状は、マスク本体２に近づくほど、マスク本体２の短手方向における寸法が大きくなるような台形であってもよい。
【００６９】
さらに、図５に示すように、マスク本体２が、温冷部材１１を挿入可能なポケット２６を有することが考えられる。なお、温冷部材１１は、マスク本体２にスナップボタン等により取り付けられてもよい。また、温冷部材１１は、マスク本体２内に予め収容されていてもよい。温冷部材１１は、例えば、合成樹脂製のビーズ１２と、該ビーズ１２を包装する包装体１３（例えば、ポリ塩化ビニル製の袋）とで構成される。温めた温冷部材１１、又は、冷やした温冷部材１１を挿入した状態のアイマスク１を装着することで、目元に着用者の好みに応じた温感や冷感が得られる。
【００７０】
なお、温冷部材１１は、上記の構成に限られない。例えば、温冷部材１１は、小豆といった保温保冷機能を有する収容物が生地製の包装体１３に収容されたものであってもよい。また、温冷部材１１の代わりに、カイロや冷却シートのような保温若しくは保冷の機能のみを有する部材を用いてもよい。
【００７１】
表地６は、図６に示すように、表生地６２及び表クッション材６３に加えて、表生地６２とともに表クッション材６３を挟む表挟み生地６４を備えてもよい。裏地７は、裏生地７２及び裏クッション材７３に加えて、裏生地７２とともに裏クッション材７３を挟む裏挟み生地７４を備えてもよい。表挟み生地６４や裏生地７２を備えることにより、アイマスク１の着用や折り畳みや洗濯等を繰り返したとしても、表クッション材６３や裏クッション材７４が損傷しにくい。なお、表地６は、裏地７の表側の一部に重ねられていてもよく、例えば、裏地７の表側のうち上半分に重ねられることが考えられる。
【００７２】
また、上記実施形態の表地６は、一つの部材であったが、一対の表地６Ａ、６Ｂを含んでもよい。この場合、第一の表地６Ａは、裏地７の一部（例えば、裏地７の表側の上半分）に重ねられることが考えられる。第一の表地６Ａや第二の表地６Ｂの表折返し部６００は、裏折返し部７００とともに中間部８を構成する第一表折返し部６０１と、表挟み生地６４と縫合され且つ中間部８を構成しない第二表折返し部６０２と、を含んでもよい。この構成では、ポケット２６は、第一の表地６Ａと第二の表地６Ｂとの間から、第一の表地６Ａと裏地７のうち第一の表地６Ａが重なっていない部位（例えば、裏地７の下半分）との間にわたって形成されている。
【００７３】
なお、裏地７は、表地６の裏側の一部に重ねられていてもよく、この場合、アイマスク１の着用時に、裏地７に加えて、表地６の裏側の一部が着用者に触れることも考えられる。また、マスク本体２に含まれる裏地７は、複数の部材を含んでもよい。
【００７４】
上記実施形態のアイマスク１では、着用部３が、マスク本体２の上下方向における中心軸とずれた位置に配置されていたが、例えば、図７に示すように、マスク本体２の上下方向における中心軸の延長線上に配置されてもよい。
【００７５】
また、上記実施形態のアイマスク１では、表地６の厚みが裏地７の厚みよりも大きかったが、例えば、図８に示すように、表地６の厚みと裏地７の厚みが同じであってもよい。さらに、裏クッション材７３が表クッション材６３よりも柔らかかったが、裏クッション材７３は表クッション材６３と同一の柔らかさであることも考えられる。例えば、表地６の表クッション材６３及び裏地７の裏クッション材７３は、いずれも、綿のような柔らかいクッション材であってもよい。
【００７６】
なお、表クッション材６３や裏クッション材７３が綿のような変形しやすく柔らかいものであったとしても、アイマスク１を洗濯する際に、表挟み生地６３や裏挟み生地７４により綿が移動することを抑制できるため、マスク本体２内で綿（表クッション材６３や裏クッション材７３）が偏ることを抑えることができる。
【００７７】
上記実施形態のアイマスク１では、中間部８がクッション材で形成されていたが、クッション材以外の材料で形成されていてもよい。このような構成として、例えば、表地６や裏地７が生地のみで形成されるとともに、中間部８が、生地のみで形成される表折返し部６００と裏折返し部７００で形成されることが考えられる。この場合、表折返し部６００や裏折返し部７００が、表地縁部６０や裏地縁部７０を複数回折り返した構成とすることにより、中間部８の厚みを確保してもよい。
【００７８】
また、上記実施形態のアイマスク１では、中間部８が表折返し部６００と裏折返し部７００とが重ね合わせて縫合されることにより構成されていたが、別の構成であってもよい。このような構成として、例えば、中間部８が表折返し部６００と裏折返し部７００とが重ね合わせて接着剤により接着されることで構成されることが考えられる。また、別の構成として、例えば、表地縁部６０や裏地縁部７０が折り返されておらず、中間部８が表地縁部６０と裏地縁部７０との間に配置されたクッション材で形成されてもよい。このクッション材は、例えば、ウレタン樹脂であることが考えられる。
【００７９】
また、上記実施形態の中間部８は、左右の目をまとめて覆う枠状に連続して形成されていたが、この枠の延びる方向に部分的に途切れるように形成されてもよい。例えば、中間部８は、マスク本体２の第二被覆部位２２の水平方向における中央部で途切れるように形成されることが考えられる。
【００８０】
上記実施形態のアイマスク１では、別パーツとして形成されたマスク本体２と着用部３とが接続された構成であったが、マスク本体２と着用部３とは一体であってもよい。
【００８１】
また、アイマスク１は、接続部４、鼻元被覆部５、補強部９等を備えなくてもよい。例えば、アイマスク１において、マスク本体２の両端部に着用部３が直接接続されることが考えられる。さらに、アイマスク１は、マスク本体２の上端縁２３に接続され且つ額を覆う額被覆部や、マスク本体２の下端縁２４に接続され且つ頬を覆う頬被覆部等の顔の各部位を覆う被覆部を備えてもよい。
【００８２】
上記実施形態の着用部３はナイロン製のベルトであったが、ゴム紐や、生地で構成された紐であってもよい。また、着用部３は、耳掛け可能に左右一対形成されたものであってもよい。
【符号の説明】
【００８３】
１…アイマスク、２…マスク本体、３…着用部、４…接続部、５…鼻元被覆部、６、６Ａ、６Ｂ…表地、６α…表地折り目、７…裏地、７α…裏地折り目、８…中間部、９…補強部、１０…フレーム部、１１…温冷部材、１２…ビーズ、１３…包装体、２０…縁部、２１…第一被覆部位、２２…第二被覆部位、２３…上端縁、２４…下端縁、２５…第三被覆部位、２６…ポケット、４０…上端縁、４１…下端縁、６０…表地縁部、６１…表本体部、６２…表生地、６３…表クッション材、６４…裏挟み生地、７０…裏地縁部、７１…裏地本体部、７２…裏生地、７３…裏クッション材、７４…裏挟み生地、１０１…フレーム上部、１０２…フレーム側部、１０３…フレーム下部、１０３Ａ…第一フレーム下部、１０３Ｂ…第二フレーム下部、２４１…第一下端縁、２４２…第二下端縁、６００…表折返し部、６０１…第一表折返し部、６０２…第二表折返し部、７００…裏折返し部、Ｌ…幅（寸法）
【要約】
【課題】目を過度に圧迫することなく、しかも、心地よい肌触りを得ることができるアイマスクを提供する。
【解決手段】目を覆うマスク本体と、前記マスク本体を着用者の目を覆うように該着用者の顔に着用するための着用部と、を備え、前記マスク本体は、目を覆う形状に構成され、表裏方向で対向配置される表地及び裏地と、前記マスク本体の縁部を形成するフレーム部と、備え、前記フレーム部は、前記表地の縁部と、前記裏地の縁部と、前記表地の縁部及び前記裏地の縁部の間に介装される中間部と、を備える。
【選択図】図１【図１】
0006860647.tif 000002
【図２】
0006860647.tif 000003
【図３】
0006860647.tif 000004
【図４】
0006860647.tif 000005
【図５】
0006860647.tif 000006
【図６】
0006860647.tif 000007
【図７】
0006860647.tif 000008
【図８】
0006860647.tif 000009